(57)【要約】【課題】本発明は、スイッチの操作と、装置の電源供給状態を保持する状態保持部とに基づいて電源供給を制御し、状態保持部が故障した場合であっても好適に電源供給を遮断する仕組みを提供する。【解決手段】本画像形成装置は、装置の電源供給状態を切り替えるスイッチと、当該スイッチへのユーザ操作に応じた装置の電源供給状態を保持する状態保持部と、を備える。また、本画像形成装置は、状態保持部によって保持される電源供給状態に応じて装置の電源供給を制御し、当該スイッチへのユーザ操作に応じた状態保持部が保持する電源供給状態を監視する。さらに、本画像形成装置は、状態保持部が保持する電源供給状態がオン状態を示す場合に、スイッチに対するユーザ操作が行われてから、所定時間が経過しても状態保持部が保持する電源供給状態が変化しない場合は、当該電源供給状態をオフ状態に変更する。【選択図】  図６
2020076864.tif 000002
【特許請求の範囲】
【請求項１】
画像形成装置であって、
装置の電源供給状態を切り替えるスイッチと、
前記スイッチへのユーザ操作に応じた装置の電源供給状態を保持する状態保持手段と、
前記状態保持手段によって保持される電源供給状態に応じて装置の電源供給を制御する電源制御手段と、
前記スイッチのユーザ操作に応じた前記状態保持手段が保持する電源供給状態を監視する監視手段と
を備え、
前記監視手段は、前記状態保持手段が保持する前記電源供給状態がオン状態を示しているときに前記スイッチに対するユーザ操作が行われたことを検知すると、該電源供給状態をオフ状態を示す状態に変更することを特徴とする画像形成装置。
【請求項２】
前記監視手段は、前記状態保持手段が保持する前記電源供給状態がオン状態を示しているときに前記スイッチに対するユーザ操作が行われたことを検知すると、所定時間の経過後に、該電源供給状態をオフ状態を示す状態に変更することを特徴とする請求項１に記載の画像形成装置。
【請求項３】
前記監視手段は、前記状態保持手段が保持する前記電源供給状態がオン状態を示しているときに前記スイッチに対するユーザ操作が行われてから、前記所定時間が経過しても前記状態保持手段が保持する前記電源供給状態が変化しない場合は、該電源供給状態をオフ状態を示す状態に変更することを特徴とする請求項２に記載の画像形成装置。
【請求項４】
前記状態保持手段は、保持する電源供給状態に応じた信号を前記電源制御手段に出力し、
前記電源制御手段は、前記状態保持手段によって出力される信号に応じて装置の電源供給を制御し、
前記監視手段は、
前記状態保持手段が保持する電源供給状態として、該状態保持手段の信号出力を監視し、
前記状態保持手段が保持する前記電源供給状態がオン状態を示す場合に、前記スイッチに対するユーザ操作が行われてから、前記所定時間が経過しても前記状態保持手段から出力される信号が変化しない場合は、当該信号をオフ状態を示す信号に切り替えることを特徴とする請求項３に記載の画像形成装置。
【請求項５】
前記所定時間は、前記スイッチへのユーザ操作から前記状態保持手段の信号出力が切り替わるまでの遅延時間であることを特徴とする請求項４に記載の画像形成装置。
【請求項６】
前記所定時間は、前記スイッチへのユーザ操作を長押しと判断するための操作時間であることを特徴とする請求項５に記載の画像形成装置。
【請求項７】
前記操作時間は、前記遅延時間よりも長いことを特徴とする請求項６に記載の画像形成装置。
【請求項８】
前記スイッチは、プッシュスイッチであることを特徴とする請求項１乃至７の何れか１項に記載の画像形成装置。
【請求項９】
前記監視手段は、前記電源供給状態をオフ状態を示す状態に変更した後に、再び、前記スイッチをユーザが操作しても、前記電源供給状態のオフ状態を継続させることを特徴とする請求項１乃至８の何れか１項に記載の画像形成装置。
【請求項１０】
装置の電源供給状態を切り替えるスイッチと、前記スイッチへのユーザ操作に応じた装置の電源供給状態を保持する状態保持手段と、を備える画像形成装置の制御方法であって、
電源制御手段が、前記状態保持手段によって保持される電源供給状態に応じて装置の電源供給を制御する電源制御工程と、
監視手段が、前記スイッチのユーザ操作に応じた前記状態保持手段が保持する電源供給状態を監視する監視工程と
を含み、
前記監視工程では、前記状態保持手段が保持する前記電源供給状態がオン状態を示しているときに前記スイッチに対するユーザ操作が行われたことを検知すると、該電源供給状態をオフ状態を示す状態に変更することを特徴とする画像形成装置。
【請求項１１】
装置の電源供給状態を切り替えるスイッチと、前記スイッチへのユーザ操作に応じた装置の電源供給状態を保持する状態保持手段と、を備える画像形成装置の制御方法における各工程をコンピュータに実行させるためのプログラムであって、前記制御方法は、
電源制御手段が、前記状態保持手段によって保持される電源供給状態に応じて装置の電源供給を制御する電源制御工程と、
監視手段が、前記スイッチのユーザ操作に応じた前記状態保持手段が保持する電源供給状態を監視する監視工程と
を含み、
前記監視工程では、前記状態保持手段が保持する前記電源供給状態がオン状態を示しているときに前記スイッチに対するユーザ操作が行われたことを検知すると、該電源供給状態をオフ状態を示す状態に変更することを特徴とするプログラム。
【請求項１２】
画像形成装置であって、
装置の電源供給状態を切り替える主電源スイッチと、
前記主電源スイッチからの信号出力に応じて装置の電源供給を制御する電源制御手段と
を備え、
前記主電源スイッチは、
スイッチと、
前記スイッチへのユーザ操作に応じた装置の電源供給状態を保持し、該電源供給状態に応じた信号を出力する状態保持手段と、
前記スイッチのユーザ操作に応じた状態保持手段からの信号出力を監視する監視手段と
を備え、
前記監視手段は、前記状態保持手段が保持する前記電源供給状態がオン状態を示しているときに前記スイッチに対するユーザ操作が行われたことを検知すると、該電源供給状態をオフ状態を示す状態に変更することを特徴とする画像形成装置。
【請求項１３】
前記主電源スイッチは、さらに、
前記状態保持手段から出力される信号と、前記監視手段から出力される信号とを入力とし、それら信号の論理積を前記電源制御手段に出力するＡＮＤ回路を備えることを特徴とする請求項１２に記載の画像形成装置。
【発明の詳細な説明】
【技術分野】
【０００１】
本発明は、画像形成装置、その制御方法、及びプログラムに関する。
【背景技術】
【０００２】
従来、画像形成装置に用いられる主電源スイッチは、シーソースイッチのようにスイッチ操作に連動して電力の供給、遮断を切り替える構成であった。そのため、シーソースイッチをオンからオフに切り替えると、画像形成装置のプリンタなど、高電圧を使用している部分に対して、即座に電源供給を遮断することが可能であった。
【０００３】
一方、近年の画像形成装置では、主電源スイッチの操作に対する電源制御をソフトウェアで実施する構成が一般的である。電源制御をソフトウェアで行う画像形成装置では、ネットワークを介して電源をオン、オフを可能にしているものがある。そのため、電源状態をソフトウェアで管理し、主電源スイッチのオン、オフを切り替えられるように、主電源スイッチにプッシュスイッチが用いられている。例えば、特許文献１には、プッシュスイッチを操作してオンからオフに切り替えた場合に、ソフトウェアの制御により電源供給を遮断することが提案されている。
【先行技術文献】
【特許文献】
【０００４】
【特許文献１】特開２０１４−７９９４１号公報
【発明の概要】
【発明が解決しようとする課題】
【０００５】
しかしながら、上記従来技術には以下に記載する課題がある。上記従来技術では、画像形成装置の電源をオンからオフに切り替えるためのユーザによるプッシュスイッチの操作を、ソフトウェアで検知している。当該ソフトウェアは、ユーザのスイッチ操作を検知すると、ユーザの操作内容と電力状態に応じて、監視時間を決定し、当該監視時間を計時するタイマを開始し、タイマが満了すると電源供給を遮断する動作又はリセット動作を実行する。しかし、ソフトウェアが暴走した場合であっても、ユーザの操作を受けてから上記監視時間が経過するまでは、画像形成装置の電源供給を遮断することができない。
【０００６】
また、プッシュスイッチは、スイッチ自体が状態を保持する構成ではないため、状態を保持する部分（状態保持部）が必要となるが、状態を保持する部分が故障した場合、画像形成装置の電源供給を当該スイッチの状態に合わせて正確に制御することができない。このように電源供給を正確に制御できなければ、例えば定着装置などの高電圧部への電源供給を必要に応じて即座に遮断することができず、各部の劣化や故障の原因となってしまう。
【０００７】
本発明は、上述の問題の少なくとも一つに鑑みて成されたものであり、スイッチの操作と、装置の電源供給状態を保持する状態保持部とに基づいて電源供給を制御し、状態保持部が故障した場合であっても好適に電源供給を遮断する仕組みを提供することを目的とする。
【課題を解決するための手段】
【０００８】
本発明は、例えば、画像形成装置であって、装置の電源供給状態を切り替えるスイッチと、前記スイッチへのユーザ操作に応じた装置の電源供給状態を保持する状態保持手段と、前記状態保持手段によって保持される電源供給状態に応じて装置の電源供給を制御する電源制御手段と、前記スイッチのユーザ操作に応じた前記状態保持手段が保持する電源供給状態を監視する監視手段とを備え、前記監視手段は、前記状態保持手段が保持する前記電源供給状態がオン状態を示しているときに前記スイッチに対するユーザ操作が行われたことを検知すると、該電源供給状態をオフ状態を示す状態に変更することを特徴とする。
【０００９】
また、本発明は、例えば、画像形成装置であって、装置の電源供給状態を切り替える主電源スイッチと、前記主電源スイッチからの信号出力に応じて装置の電源供給を制御する電源制御手段とを備え、前記主電源スイッチは、スイッチと、前記スイッチへのユーザ操作に応じた装置の電源供給状態を保持し、該電源供給状態に応じた信号を出力する状態保持手段と、前記スイッチのユーザ操作に応じた状態保持手段からの信号出力を監視する監視手段とを備え、前記監視手段は、前記状態保持手段が保持する前記電源供給状態がオン状態を示しているときに前記スイッチに対するユーザ操作が行われたことを検知すると、該電源供給状態をオフ状態を示す状態に変更することを特徴とする。
【発明の効果】
【００１０】
本発明によれば、スイッチの操作と、装置の電源供給状態を保持する状態保持部とに基づいて電源供給を制御し、状態保持部が故障した場合であっても好適に電源供給を遮断することができる。
【図面の簡単な説明】
【００１１】
【図１】一実施形態に係る情報処理システムのシステム構成を示す図。
【図２】一実施形態に係る画像形成装置のハードウェア構成を示す図。
【図３】一実施形態に係る画像形成装置の電源構成を示す図。
【図４】一実施形態に係る画像形成装置の主電源スイッチの構成を示す図。
【図５】一実施形態に係る画像形成装置の状態保持部の動作を示すフローチャート。
【図６】一実施形態に係る画像形成装置の監視部の動作を示すフローチャート。
【図７】一実施形態に係る画像形成装置の処理を示すタイミング図。
【図８】一実施形態に係る画像形成装置の監視部の動作を示すフローチャート。
【図９】一実施形態に係る画像形成装置の処理を示すタイミング図。
【発明を実施するための形態】
【００１２】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。なお、実施形態に係る画像形成装置として複合機（デジタル複合機／ＭＦＰ／Ｍｕｌｔｉ  Ｆｕｎｃｔｉｏｎ  Ｐｅｒｉｐｈｅｒａｌ）を例に説明する。しかしながら本発明の主旨を逸脱しない範囲で、レーザプリンタやＦＡＸなどの電子写真方式の画像形成装置に適用することが可能である。また、本発明は、適用対象を画像形成装置に限定する必要はなく、画像形成機能や画像処理機能を有していない情報処理装置にも適用することも可能である。
【００１３】
＜第１の実施形態＞
＜システムの構成＞
以下では、添付図面を参照して、本発明の第１の実施形態について説明する。まず、図１を参照して、本実施形態に係る情報処理システムのシステム構成を説明する。
【００１４】
本実施形態に係る情報処理システムは、画像形成装置１００、プリントサーバ１１０、及びクライアントＰＣ１１１を含んで構成される。各装置は、ＬＡＮ１２０を介して相互通信可能に接続される。なお、本発明をこれらの構成や台数に限定することは意図しておらず、他の装置を含んで構成されてもよい。
【００１５】
画像形成装置１００は、画像の入出力や送受信と、それに関連する画像処理を行う。画像形成装置１００は、コントローラ１０１、ユーザインタフェースである操作部１０２、画像入力デバイスであるスキャナ１０３、及び、画像出力デバイスであるプリンタ１０４を備える。操作部１０２、スキャナ１０３、及び、プリンタ１０４は、それぞれコントローラ１０１に接続され、コントローラ１０１が各部の動作を統括的に制御する。コントローラ１０１は、ネットワークＩ／Ｆ２０５を介して、ＬＡＮ（Ｌｏｃａｌ  Ａｒｅａ  Ｎｅｔｗｏｒｋ）１２０に接続され、プリントサーバ１１０やクライアントＰＣ１１１と通信を行う。ユーザは、クライアントＰＣ１１１において、画像の印刷を行うべくプリントジョブを作成し、印刷処理を指示する。これにより、プリントジョブはプリントサーバ１１０及びＬＡＮ１２０を介して画像形成装置１００に通知される。
【００１６】
＜画像形成装置の構成＞
次に、図２を参照して、本実施形態に係る画像形成装置のハードウェア構成を説明する。画像形成装置１００は、図１を用いて説明した構成に加えて、電源装置２２１及び主電源スイッチ３０３を備える。
【００１７】
コントローラ１０１は、スキャナＩ／Ｆ２０３に接続されるスキャナ１０３と、プリンタＩ／Ｆ２０４に接続されるプリンタ１０４を制御する。また、コントローラ１０１は、ネットワークＩ／Ｆ２０５を介して、外部機器との間で画像データ、デバイス情報の入出力を行う。
【００１８】
コントローラ１０１は、主制御を司るＣＰＵ２０１（Ｃｅｎｔｒａｌ  Ｐｒｏｃｅｓｓｉｎｇ  Ｕｎｉｔ）を備える。ＣＰＵ２０１は、システムバスを介して、ＲＯＭ２０６（Ｒｅａｄ  Ｏｎｌｙ  Ｍｅｍｏｒｙ）、ＲＡＭ２０７（Ｒａｎｄｏｍ  Ａｃｃｅｓｓ  Ｍｅｍｏｒｙ）、及びＨＤＤ２０８（Ｈａｒｄ  Ｄｉｓｋ  Ｄｒｉｖｅ）と接続される。更に、ＣＰＵ２０１は、ネットワークＩ／Ｆ２０５、及び操作部Ｉ／Ｆ２０２と接続される。
【００１９】
ＲＯＭ２０６は、ブートＲＯＭでありシステム起動に必要な起動プログラムを格納する。例えば、ＲＯＭ２０６には、ＣＰＵ２０１の起動プログラムが格納されている。ＲＡＭ２０７は、ＣＰＵ２０１の主記憶部として作業領域を提供するための随時読み書き可能なメモリであり、内部処理する画像データを一時記憶するための画像メモリとしても使用される。ＨＤＤ２０８は、不揮発性メモリであり、オペレーティングシステムやアプリケーションのプログラム、画像形成装置１００の電源遮断後にも保持が必要な設定値データやユーザデータ等を格納する。ＣＰＵ２０１が、ＲＯＭ２０６や、ＨＤＤ２０８等に記憶されているプログラムに基づき処理を実行することにより、画像形成装置１００の機能が実現される。
【００２０】
ネットワークＩ／Ｆ２０５は、ＬＡＮ１２０と接続するためのインタフェースであり、ＬＡＮ１２０に対してデータの入出力を行う。操作部Ｉ／Ｆ２０２は、液晶タッチパネル等で構成する操作部１０２との間で入出力を行うためのインタフェースである。ＣＰＵ２０１は、操作部Ｉ／Ｆ２０２を介して、操作部１０２に対して表示すべき画像データを出力する。また、操作部Ｉ／Ｆ２０２は、ユーザが操作部１０２を介して入力したデータをＣＰＵ２０１に伝送する。
【００２１】
スキャナＩ／Ｆ２０３、及びプリンタＩ／Ｆ２０４は、それぞれスキャナ１０３、及びプリンタ１０４とコントローラ１０１とを接続するインタフェースである。画像処理部２０９は、ＣＰＵ２０１、スキャナＩ／Ｆ２０３、及びプリンタＩ／Ｆ２０４に接続される。画像処理部２０９は、スキャナ１０３から読み込んだ入力画像データに対して、補正、加工、及び編集等の画像処理を行う。その後、画像処理部２０９は、プリンタ１０４へ出力するプリント出力画像データに対して、色変換、フィルタ処理、及び解像度変換等の処理を行う。
【００２２】
電源制御部２２０は、画像形成装置１００の動作状態に応じて、各部の電源供給のオン／オフを切り替える。電源制御部２２０は、ＣＰＵ２０１からシステムバスを介して制御信号を受信し、受信した制御信号に基づいて、電源装置２２１に対して制御信号を送信することで給電制御を行う。電源装置２２１は、商用電源３０１から電源を受け、電源制御部２２０からの受信した制御信号に基づいて、画像形成装置１００の各部に対して電源を供給する。
【００２３】
電源装置２２１は、電源ケーブルにより商用電源３０１と接続されている限り常時通電され、電源供給が可能である。電源装置２２１は、画像形成装置１００の各部に対しＤＣ電源を供給するため、図３で示す第１電源部３０２、第２電源部３０６、及び第３電源部３０８の電源回路を備えている。
【００２４】
主電源スイッチ３０３は、画像形成装置１００の動作状態を切り替えるためのスイッチである。主電源スイッチ３０３が操作されるごとにその出力信号値がトグルし、画像形成装置１００の電源供給状態が切り替わる。画像形成装置１００の電源供給状態がオフ状態時に主電源スイッチ３０３を操作することで、オン状態に切り替えることができる。オン状態では、第１電源部３０２、第２電源部３０６、及び第３電源部３０８が電源供給を行い、画像形成装置１００が画像形成可能な動作状態となる。一方、画像形成装置１００のオン状態時に主電源スイッチ３０３を操作することで、オフ状態に切り替えることができる。オフ状態では、第２電源部３０６、及び第３電源部３０８の電源とコントローラ１０１に供給される電源が遮断され、画像形成装置１００の動作が停止した状態となる。
【００２５】
＜電源構成＞
次に、図３を参照して、本実施形態に係る画像形成装置１００の電源構成を説明する。電源装置２２１は、第１電源部３０２、第２電源部３０６、第３電源部３０８、及びスイッチ３０５、３０７を備える。また、電源装置２２１は、電源制御部２２０、商用電源３０１、主電源スイッチ３０３、スイッチ３０４、３１２、３１３、３１７、３１８、３１９に接続される。
【００２６】
主電源スイッチ３０３は、ユーザにより操作されたことを検知し、スイッチ３０４を導通させ、ＣＰＵ２０１に電源を供給する。そして、ＣＰＵ２０１が、電源制御部２２０に対して、当該ＣＰＵ２０１に電源が供給されたことを通知する。電源制御部２２０は、ＣＰＵ２０１に電源が供給されたことを受け、スイッチ３０５、３０７、スイッチ３１２、３１３、及びスイッチ３１７〜３１９をオンすることで画像形成装置１００の各部へ電源供給を行う。その後、ＣＰＵ２０１がＲＯＭ２０６に格納されている起動プログラムに従い起動処理を行うことで、画像形成装置１００は、画像形成可能な動作状態へ遷移する。
【００２７】
画像形成装置１００は、電源供給状態として、動作状態と省電力状態を備える。動作状態において、電源装置２２１は、コントローラ１０１、操作部１０２、スキャナ１０３、及びプリンタ１０４の各部に電源供給を行う。また、ＣＰＵ２０１は、システムバスを介して制御信号を送信し、電源制御部２２０の内部にあるレジスタ値を書き換える。電源制御部２２０は書き換えられたレジスタ値に基づいて、各スイッチ３０４、３０５、３０７、３１２、３１３、３１７〜３１９のオン／オフを制御し、各部への電源供給を制御する。動作状態では、ユーザが画像形成装置１００のスキャンやプリントなどの機能を使用することが可能である。
【００２８】
省電力状態では、電源装置２２１は、電源制御部２２０に電源供給を行う。また、ＣＰＵ２０１は、コントローラ１０１の一部に対して電源供給を有効にし、かつ、操作部１０２、スキャナ１０３、及びプリンタ１０４の電源供給が無効となるように電源制御部２２０を制御する。電源制御部２２０は、電源ラインに接続されたスイッチ３１２、３１３、スイッチ３１７〜３１９をオフし、電源供給を遮断する。その後、スイッチ３０５、３０７をオフし、第２電源部３０６と第３電源部３０８をオフすることで、第２電源部３０６と第３電源部３０８の待機電力を削減する。省電力状態では、画像形成装置１００は、ユーザによって操作部１０２のボタンの押下や、ネットワークからのデータ受信などを電源制御部２２０で検知して動作状態へと移行する。
【００２９】
＜主電源スイッチの構成＞
次に、図４を参照して、本実施形態に係る主電源スイッチ３０３の構成を説明する。主電源スイッチ３０３は、プッシュスイッチ４０１、状態保持部４０２、監視部４０３、及びＡＮＤ回路４０４を備える。ユーザ操作によりプッシュスイッチ４０１がオンされると、プッシュスイッチ４０１が導通し後段に接続される状態保持部４０２と監視部４０３に信号が伝達する。また、状態保持部４０２からの信号と、監視部４０３からの信号がＡＮＤ回路４０４に入力され、それらの信号の論理積がＡＮＤ回路４０４からの出力として電源制御部２２０に入力される。状態保持部４０２からの出力は、主電源スイッチ３０３がオン状態（電源オン状態）であることを示すＨｉｇｈレベル信号、または、主電源スイッチ３０３がオフ状態（電源オフ状態）であることを示すＬｏｗレベル信号のいずれかである。また監視部４０３からの出力もまた、Ｈｉｇｈレベル信号またはＬｏｗレベル信号である。ＡＮＤ回路４０４は、状態保持部４０２および監視部４０３のそれぞれからともにＨｉｇｈレベル信号が入力されると、主電源スイッチ３０３がオン状態であることを示すＨｉｇｈレベル信号を出力する。それ以外の場合には、主電源スイッチ３０３がオフ状態であることを示すＬｏｗレベル信号がＡＮＤ回路４０４から出力される。
【００３０】
なお、プッシュスイッチ４０１は、ユーザが押下している間、オンとなり、押下をやめるとオフとなるスイッチであり、オンとオフの状態を保持することができない。そのため、本画像形成装置１００では、状態保持部４０２において、主電源スイッチ３０３のオン状態とオフ状態が保持される。そして状態保持部４０２は、保持された状態に応じたレベルの信号（Ｈｉｇｈレベル信号またはＬｏｗレベル信号）を出力する。状態保持部４０２は、保持している状態がオフ状態の場合に、プッシュスイッチ４０１が操作されると、それに応じて、保持している状態をオン状態に切り替え、Ｈｉｇｈレベル信号を出力する。一方、状態保持部４０２は、保持している状態がオン状態の場合に、プッシュスイッチ４０１が操作されると、それに応じて、保持している状態をオフ状態に切り替え、Ｌｏｗレベル信号を出力する。
【００３１】
また、監視部４０３は、状態保持部４０２の故障時の安全策として、プッシュスイッチ４０１の操作を検知してから、所定時間経過後に状態保持部４０２の信号出力が変化することを監視する。監視部４０３は、所定時間内に信号出力が変化せず、状態保持部４０２の故障を検出した場合、状態保持部４０２の代わりに主電源スイッチ３０３の出力をマスクする回路を備える。つまり、監視部４０３は、主電源スイッチ３０３の出力をマスクすることにより、装置の電源供給を強制的にオフ状態に変更することができる。具体的には、監視部４０３は、ＡＮＤ回路４０４に対してＬｏｗレベル信号を出力することで、主電源スイッチ３０３がオン状態であることを示すＨｉｇｈレベル信号の出力をマスクする（つまりＡＮＤ回路４０４にＬｏｗレベル信号を出力させる）。
【００３２】
なお、本実施形態では、主電源スイッチ３０３内の構成として、状態保持部４０２と監視部４０３とを設ける例を説明したが、本発明をこのような構成に限定する意図はない。即ち、状態保持部４０２及び監視部４０３は、主電源スイッチ３０３に設けられる必要はなく、外部構成として設けられてもよい。
【００３３】
＜状態保持部の動作＞
次に、図５を参照して、本実施形態に係る画像形成装置１００において、主電源スイッチ３０３がオフ状態からオン状態に切り替えられた際の処理手順を説明する。ここでは、状態保持部４０２が初期値としてオフ状態を保持した状態において、プッシュスイッチ４０１が押下された際の動作を説明する。
【００３４】
まず、Ｓ５０１で、状態保持部４０２は、オフ状態時にプッシュスイッチ４０１が押下されたことを検出する。続いて、Ｓ５０２で、状態保持部４０２は、主電源スイッチ３０３の出力をオン状態へ切り替える。主電源スイッチ３０３がオン状態となるとスイッチ３０４が導通し、ＣＰＵ２０１が通電され、起動処理が開始される。
【００３５】
一方、オン状態からオフ状態に切り替わる動作は、主電源スイッチ３０３のオン状態時に、状態保持部４０２が、プッシュスイッチ４０１が押下されたことを検出し、主電源スイッチ３０３の出力をオフ状態へ切り替える。主電源スイッチ３０３がオフ状態となると、スイッチ３０７がオフされ、第３電源部３０８がオフし、スキャナ１０３とプリンタ１０４の電源が遮断され、強制的にオフされる。その後、ＣＰＵ２０１が終了処理を行い、電源制御部２２０に対して、第２電源部３０６とスイッチ３０４をオフする指示を行う。スイッチ３０４がオフすることで、ＣＰＵ２０１の電源が遮断される。
【００３６】
次に、状態保持部４０２が故障した場合の動作を説明する。監視部４０３は、状態保持部４０２の故障を検出した場合、主電源スイッチ３０３からの出力信号をマスク回路によってマスクすることで、主電源スイッチ３０３の出力をオフ状態に切り替える。監視部４０３が主電源スイッチ３０３の出力をオフ状態に切り替えた場合も同様に、スイッチ３０７がオフされ、第３電源部３０８がオフし、スキャナ１０３とプリンタ１０４の電源が遮断され、強制的にオフされる。
【００３７】
＜監視部の動作＞
次に、図６を参照して、本実施形態に係る、監視部４０３が状態保持部４０２の故障を検知する動作について説明する。ここでは、主電源スイッチ３０３の出力がオン状態で、状態保持部４０２が故障した場合について説明する。
【００３８】
Ｓ６０１で、監視部４０３は、状態保持部４０２の出力信号の論理からオン状態であることを検知する。その後、Ｓ６０２で、監視部４０３は、ユーザによりプッシュスイッチ４０１が押下されたことを検出する。ここで、プッシュスイッチ４０１は、片側が第１電源部３０２に接続されているため、押下されて導通し、これにより、監視部４０３に入力される信号の論理が切り替わる。監視部４０３は、プッシュスイッチ４０１からの入力信号の論理の切り替わりを受けて、押下されたことを検出する。
【００３９】
次に、Ｓ６０３で、監視部４０３は、プッシュスイッチ４０１が押下された時点からの経過時間を計時する。監視部４０３は、状態保持部４０２が故障しているかを確認するため、プッシュスイッチ４０１が押下されてから、状態保持部４０２の出力が切り替わるまでの遅延時間を予め保持している。そして、遅延時間が経過するまでに状態保持部４０２の出力が切り替わることを確認するため、Ｓ６０３で計時を開始する。
【００４０】
ここで、状態保持部４０２は、状態を保持するためフリップフロップなどで構成され、出力が切り替わるまでの時間として１usの遅延時間が想定される。ただし、この遅延時間は構成により決まるものであり１usに限定されるものではない。
【００４１】
Ｓ６０４で、監視部４０３は、プッシュスイッチ４０１が押下されて、状態保持部４０２の出力信号の論理が切り替わったか否かを判断する。状態保持部４０２の出力信号の論理が切り替わった場合は、状態保持部４０２が正常に動作していると判断し、処理を終了する。
【００４２】
一方、状態保持部４０２が故障しており出力信号の論理が切り替わらなかった場合は、Ｓ６０５に進み、監視部４０３は、状態保持部４０２の出力信号が切り替わることなく、所定の遅延時間が経過したか否かを判断する。所定の遅延時間が経過すると、状態保持部４０２が故障していると判断し、Ｓ６０６に進む。所定の遅延時間が経過していなければ処理をＳ６０４に戻す。
【００４３】
Ｓ６０６で、監視部４０３は、マスクを有効にして、主電源スイッチ３０３の出力をオフ状態にする。その後、監視部４０３は、ユーザがプッシュスイッチ４０１を操作したか否かによらず、主電源スイッチ３０３の出力に対してオフ状態を継続する。これにより、状態保持部４０２が故障中の場合に、オフからオンのスイッチ操作があったとしても電源供給を行わないように制御することができる。
【００４４】
＜タイミングチャート＞
次に、図７を参照して、本実施形態における信号の変化について説明する。図７では、横軸が時間を示し、縦軸が各部の信号値を示す。主電源スイッチ３０３の初期状態はオフ状態である。状態保持部４０２は、プッシュスイッチ４０１の押下を検出すると、オン状態へ切り替わる。これにより、主電源スイッチ３０３の出力もオン状態となる。
【００４５】
その後、状態保持部４０２が故障したことを想定する。この場合、監視部４０３は、ユーザによりプッシュスイッチ４０１が押下されたことを検出し（Ｓ６０２）、遅延時間経過しても、状態保持部４０２の出力が切り替わらない場合（Ｓ６０５）、主電源スイッチ３０３の出力を強制的にオフ状態に変更する（Ｓ６０６）。
【００４６】
以上説明したように、本実施形態に係る画像形成装置は、装置の電源供給状態を切り替えるスイッチと、当該スイッチへのユーザ操作に応じた装置の電源供給状態を保持する状態保持部と、を備える。また、本画像形成装置は、状態保持部によって保持される電源供給状態に応じて装置の電源供給を制御し、当該スイッチへのユーザ操作に応じた状態保持部が保持する電源供給状態を監視する。さらに、本画像形成装置は、状態保持部が保持する電源供給状態がオン状態を示しているときにスイッチに対するユーザ操作が行われたことを検知すると、当該電源供給状態をオフ状態を示す状態に変更する。従って、ユーザが主電源スイッチ３０３を操作し、オフ状態に切り替える動作を行った場合、状態保持部４０２が故障していても、操作に応じて、画像形成装置１００のスキャナ１０３とプリンタ１０４をオフすることが可能となる。これにより、例えばプリンタ１０４内部の高電圧の部分などに対する電源供給を即座に遮断することができる。
【００４７】
また、本実施形態に係る画像形成装置は、状態保持部が保持する電源供給状態がオン状態を示しているときにスイッチに対するユーザ操作が行われたことを検知すると、所定時間の経過後に、当該電源供給状態をオフ状態を示す状態に変更してもよい。さらに、本実施形態に係る画像形成装置は、状態保持部が保持する電源供給状態がオン状態を示しているときにスイッチに対するユーザ操作が行われてから、所定時間が経過しても状態保持部が保持する電源供給状態が変化しない場合は、当該電源供給状態をオフ状態を示す状態に変更してもよい。
【００４８】
＜第２の実施形態＞
以下では、本発明の第２の実施形態を説明する。本実施形態では、監視部４０３が、スイッチの操作から所定時間経過後に長押しと判定して強制的にオフ状態に制御する構成について説明する。なお、上記第１の実施形態同様の構成及び制御についての説明は省略する。当該スイッチの長押しは、ユーザが意図的に装置を強制終了する際に行う操作である。
【００４９】
＜監視部の動作＞
まず、図８を参照して、本実施形態に係る、監視部４０３が状態保持部４０２の長押しを検知する動作について説明する。ここでは、主電源スイッチ３０３の出力がオン状態で、状態保持部４０２が故障した場合について説明する。状態保持部４０２が正常に動作している部分は同様であるため省略する。なお、以下で説明する処理は、図６と異なる制御について主に説明する。
【００５０】
Ｓ８０１で、監視部４０３は、状態保持部４０２の出力信号の論理からオン状態であることを検知する。その後、Ｓ８０２で、監視部４０３は、プッシュスイッチ４０１の長押しを検知する。ここで、監視部４０３は、プッシュスイッチ４０１からの入力信号の論理の切り替わりを受けて、押下されたことを検出する。
【００５１】
次に、Ｓ８０３で、監視部４０３は、プッシュスイッチ４０１が押下された時点からの経過時間（操作時間）を計時する。ここで、状態保持部４０２では出力が切り替わるまでの遅延時間があるため、プッシュスイッチ４０１が長押しされたと判断する時間は状態保持部４０２の遅延時間よりも長く設定する必要がある。従って、ここで計時される所定時間（操作時間）は、上記第１の実施形態で説明した遅延時間とりも長い時間となる。
【００５２】
Ｓ８０４で、監視部４０３は、プッシュスイッチ４０１が押下されて、状態保持部４０２の出力信号の論理が切り替わったか否かを判断する。状態保持部４０２の出力信号の論理が切り替わった場合は、状態保持部４０２が正常に動作していると判断し、処理を終了する。
【００５３】
一方、状態保持部４０２が故障しており出力信号の論理が切り替わらなかった場合は、Ｓ８０５に進み、監視部４０３は、プッシュスイッチ４０１が押下されている状態が所定時間経過したか否かを判断する。所定時間を経過すると、長押しされていると判断してＳ８０６に進み、監視部４０３は、マスクを有効にして、主電源スイッチ３０３の出力をオフ状態にする。その後、監視部４０３は、ユーザがプッシュスイッチ４０１を操作したか否かによらず、主電源スイッチ３０３の出力に対してオフ状態を継続する。これにより、状態保持部４０２が故障中の場合に、オフからオンのスイッチ操作があったとしても電源供給を行わないように制御することができる。
【００５４】
＜タイミングチャート＞
次に、図９を参照して、本実施形態における信号の変化について説明する。図９では、横軸が時間を示し、縦軸が各部の信号値を示す。主電源スイッチ３０３がオフ状態からオン状態へ切り替わる部分は同様であるため詳細な説明は省略する。
【００５５】
状態保持部４０２が故障した場合、監視部４０３は、ユーザによりプッシュスイッチ４０１が押下されたことを検出し、プッシュスイッチ４０１が押下されている時間を計時する。所定時間経過しても、状態保持部４０２の出力が切り替わらない場合（Ｓ８０５）、監視部４０３は、主電源スイッチ３０３の出力を強制的にオフ状態に変更する（Ｓ８０６）。
以上説明したように、ユーザが主電源スイッチ３０３を長押し操作し、オフ状態に強制的に切り替える動作を行った場合、状態保持部４０２が故障していても、当該操作に応じて、画像形成装置１００のスキャナ１０３とプリンタ１０４をオフすることができる。これにより、例えばプリンタ１０４内部の高電圧の部分などに対する電源供給を即座に遮断することができる。
【００５６】
＜第３の実施形態＞
以下では、本発明の第３の実施形態を説明する。本実施形態では、監視部４０３は、状態保持部４０２の出力信号の論理（ＨｉｇｈレベルまたはＬｏｗレベル）を監視する。そして監視部４０３は、状態保持部４０２の出力信号の論理がオン状態（Ｈｉｇｈレベル）であるときにプッシュスイッチ４０１の押下を検知すると、プッシュスイッチ４０１の操作から所定時間経過後にＬｏｗレベル信号をＡＮＤ回路４０４に出力する。これによって、主電源スイッチ３０３の出力をオフ状態（Ｌｏｗレベル）にすることができる。プッシュスイッチ４０１が押下されたことは、監視部４０３がプッシュスイッチ４０１からの入力信号の論理の切り替わりを受けつけることで検知する。これにより、状態保持部４０２が故障していても、電源供給をオフすることができる。
【００５７】
なお状態保持部４０２が故障しており、常時、オン状態（Ｈｉｇｈレベル）を示す信号を出力する場合、プッシュスイッチ４０１を何度押しても、監視部４０３は、Ｌｏｗレベル信号を出力する。そのため、状態保持部４０２が故障していれば、主電源スイッチ３０３の出力は、オフ状態からオン状態（Ｈｉｇｈレベル）にはならず、画像形成装置１００が故障を抱えたままオン状態となることを防ぐことができる。なお、本実施形態の監視部４０３は、状態保持部４０２の出力信号の論理がオフ状態（Ｌｏｗレベル）であるときにプッシュスイッチ４０１の押下を検知すると、Ｈｉｇｈレベル信号をＡＮＤ回路４０４に出力する。また、オフ状態を保持してＬｏｗレベル信号を出力している状態保持部４０２は、正常であれば、オン状態を保持するようになってＨｉｇｈレベル信号を出力する。そのため、状態保持部４０２が正常であれば、主電源スイッチ３０３の出力をオフ状態（Ｌｏｗレベル）からオン状態（Ｈｉｇｈレベル）に切り替えることができる。一方、状態保持部４０２が、常時、オフ状態を保持してＬｏｗレベル信号を出力するような故障を抱えていると、主電源スイッチ３０３の出力はオフ状態からオン状態に切り替わることはなく、画像形成装置１００が故障を抱えたままオン状態となることが防がれる。
【００５８】
以上、第３の実施形態によれば、監視部４０３は、状態保持部４０２の出力信号の論理の変化を監視せずとも、画像形成装置１００の電源供給をオフすることができる。
【００５９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６０】
１００：画像形成装置、２０１：ＣＰＵ、３０４：主電源スイッチ、４０２：状態保持部、４０３：監視部
【図１】
2020076864.tif 000003
【図２】
2020076864.tif 000004
【図３】
2020076864.tif 000005
【図４】
2020076864.tif 000006
【図５】
2020076864.tif 000007
【図６】
2020076864.tif 000008
【図７】
2020076864.tif 000009
【図８】
2020076864.tif 000010
【図９】
2020076864.tif 000011